(57)【要約】      （修正有）【課題】名刺等の定型紙をそのまま使用して複数枚を一度に印刷できるインクジェットプリンター用印刷支援シート及び当該シートを簡単に製作する治具を提供する。【解決手段】片面において貼付物が着脱自在程度の粘着性を持ち、粘着面に印刷対象紙を貼り付けて保持せしめるベースシートを備え、ベースシートの周縁に対して印刷マージン相当幅を周縁マージンとし、印刷対象紙を周縁マージンにかからないようにベースシートに対して複数枚並べて貼り付けたインクジェットプリンター用印刷支援シートである。インクジェットプリンター用印刷治具は、ベースシートを正しい姿勢に整えるベースシートガイドと、印刷対象紙の厚さと略同一の大きさの厚さを持ち、ベースシートの少なくとも一つの長辺と一つの短辺の周縁に相当する範囲を覆い、周縁がインクジェットプリンターの印刷マージンと同一幅またはそれより大きい幅とした印刷対象紙ガイドとを基板上に設けたものとする。【選択図】図１
0003128034.tif 000002
【実用新案登録請求の範囲】
【請求項１】
インクジェットプリンターに搬送して印刷対象となる印刷対象紙にプリントせしめるインクジェットプリンター用印刷支援シートであって、
一方の面において貼付物が着脱自在程度の粘着性を持ち、前記粘着性を持つ面に前記印刷対象紙を貼り付けて保持せしめるベースシートを備え、
前記ベースシートの周縁に対して前記インクジェットプリンターの印刷マージンに相当する幅を周縁マージンとし、前記印刷対象紙を前記周縁マージンにかからないように前記ベースシートに対して複数枚並べて貼り付けたインクジェットプリンター用印刷支援シート。
【請求項２】
前記ベースシートの周縁マージンには粘着性を持たせず、前記周縁マージンの内側の範囲のみに粘着性を持たせた請求項１に記載のインクジェットプリンター用印刷支援シート。
【請求項３】
一方の面において貼付物が着脱自在程度の粘着性を持ち、前記粘着性を持つ面にインクジェットプリンターによる印刷対象となる印刷対象紙を貼り付けて保持せしめるベースシートに対して、前記印刷対象紙を所定位置に貼り付けるインクジェットプリンター用印刷治具であって、
前記印刷対象紙の厚さよりも十分に大きい高さを持ち、前記ベースシートを沿わせることにより前記ベースシートを正しい姿勢に整えるベースシートガイドと、
前記印刷対象紙の厚さと略同一の大きさの厚さを持ち、前記ベースシートガイドに接続され、前記ベースシートを前記ベースシートガイドに沿わせた場合に前記ベースシートの少なくとも一つの長辺と一つの短辺の周縁に相当する範囲を覆い、前記周縁が前記インクジェットプリンターの印刷マージンと同一幅またはそれより大きい幅とした印刷対象紙ガイドとを基板上に設けたインクジェットプリンター用印刷治具。
【請求項４】
前記ベースシートの周縁マージンには粘着性を持たせず、前記周縁マージンの内側の範囲のみに粘着性を持たせた請求項３に記載のインクジェットプリンター用印刷治具。
【考案の詳細な説明】
【技術分野】
【０００１】
本考案は、インクジェットプリンターに搬送して印刷対象となる印刷対象紙にプリントせしめるインクジェットプリンター用印刷支援シートおよびインクジェットプリンター用印刷治具に関する。印刷対象紙には多様なものが含まれるが、例えば、名刺やタグなどの定型紙であり、インクジェットプリンターに印刷に適した用紙が挙げられる。ここでインクジェットプリンターに適した用紙とはインクジェットプリンターとの組み合わせにより決まるので必ずしも汎用プリンターと汎用インクジェット向け用紙の組み合わせには限らず、特殊インクジェットプリンターと当該特殊インクジェットプリンターに適した用紙の組み合わせも有り得る。
【背景技術】
【０００２】
家庭用、オフィス用のインクジェットプリンターが進展するに伴い、多様な印刷が可能となってきた。ドキュメント類の印刷に加え、名刺やタグという小片の定型紙に対する印刷用途にも用いられつつある。ただ、家庭用、オフィス用のインクジェットプリンターはＡ４サイズやＢ５サイズなどの普通紙が適した用紙であり、名刺やタグという小片の定型紙を印字する場合には特別のフィーダーを必要とすることが多く、フィーダーの購入が必要となるという問題があった。また、名刺やタグという小片の定型紙を一枚一枚印刷すると時間がかかるという問題もあった。
そこで、従来技術において、名刺やタグという小片の定型紙を特別なフィーダーなしに複数枚同時にインクジェットプリンターにて印刷する工夫として、特開２００３−１２２２５７号公報の技術が知られている。
【０００３】
特開２００３−１２２２５７号公報の技術は、レーザープリンター、インクジェットプリンター、コピー機、ワープロ機などで、小片の定型紙（ラベル）を印刷できるようにすると共に、切目を介して分離できるようにしたラベル用紙を用いるものである。特開２００３−１２２２５７号公報以前から一枚の紙に小片の定型紙（ラベル）サイズに分離できる切目を入れ、プリント後に切目を切り離して各小片の定型紙（ラベル）ごとに分離するものが知られていた。特開２００３−１２２２５７号公報では、ラベル用紙の印刷後に各ラベルを分割した際の外形輪廓のちぎれや折目の突出が目立つことを問題とし、各ラベルの切目を、用紙の厚みと同じ深さに打ち抜いた全切目と、用紙の厚みより浅い深さに打ち抜いた浅切目とから形成し、各ラベルを切目に沿って切り離した場合にその切目のちぎれや折目の突出が目立たないようにしたものである。つまり、従来は、用紙の厚みと同じ深さに打ち抜いた全切目と用紙の厚みのまま残したつなぎ目が交互に配置されるため、各ラベルを切目で切り離すと用紙の厚みのつなぎ目がちぎれてできた部分が突出して目立つので、つなぎ目を用紙の厚さより薄くなるように浅切目とする技術である。
【０００４】
【特許文献１】特開２００３−１２２２５７号公報
【考案の開示】
【考案が解決しようとする課題】
【０００５】
しかし、切目が設けられたラベル印刷用紙に関する特開２００３−１２２２５７号公報の技術には以下の問題があった。
第１の問題は、切目が設けられたラベル印刷用紙は、各ラベルを切目に沿って切り離した場合にその切目のちぎれや折目の突出が目立たないようにしたものであるが、切目が設けられたラベル印刷用紙にはつなぎ目がある以上、フラットに凹凸なく綺麗に切り離すことは不可能であり、どうしてもその切目のちぎれや折目の突出が残存するという問題である。名刺やタグなどの定型紙は綺麗に裁断された形で市販されており、この名刺やタグなどの定型紙をそのまま使用することが理想的である。しかし、名刺やタグなどの定型紙をそのまま一枚一枚を印刷する場合には特殊のフィーダーが必要となりまた印刷時間がかかるという問題は従来技術において指摘したとおりである。
第２の問題は、切目が設けられたラベル印刷用紙は専用用紙として製造・販売されたものであるのでコストが高いものであることが多いという問題である。名刺やタグなどの定型紙は綺麗に裁断された形で市販されており、コストは特に高いというものではない。
【０００６】
上記問題点に鑑み、本考案は、名刺やタグなどの定型紙をそのまま使用してインクジェットプリンターにより印刷し、印刷後の名刺やタグなどの定型紙の周辺がフラットで美しくかつコストが安い印刷を可能とするインクジェットプリンター用印刷支援シートを提供することを目的とする。
また、上記問題点に鑑み、本考案は、名刺やタグなどの定型紙をそのまま使用して複数枚をインクジェットプリンターにより一度に印刷し、印刷時間を短縮することができるインクジェットプリンター用印刷支援シートを提供することを目的とする。
また、名刺やタグなどの定型紙を所定状態に配置するためのインクジェットプリンター用印刷治具を提供することを目的とする。
【課題を解決するための手段】
【０００７】
上記目的を達成するため、本考案のインクジェットプリンター用印刷支援シートは、インクジェットプリンターに搬送して印刷対象となる印刷対象紙にプリントせしめるインクジェットプリンター用印刷支援シートであって、一方の面において貼付物が着脱自在程度の粘着性を持ち、前記粘着性を持つ面に前記印刷対象紙を貼り付けて保持せしめるベースシートを備え、前記ベースシートの周縁に対して前記インクジェットプリンターの印刷マージンに相当する幅を周縁マージンとし、前記印刷対象紙を前記周縁マージンにかからないように前記ベースシートに対して複数枚並べて貼り付けたものである。
【０００８】
上記構成により、名刺やタグなどの定型紙をそのまま使用して複数枚をインクジェットプリンターにより一度に印刷することができ、印刷後の名刺やタグなどの定型紙の周辺がフラットで美しくかつ印刷時間を短縮せしめることが可能となる。
【０００９】
なお、上記構成において、ベースシートの周縁マージンには粘着性を持たせず、周縁マージンの内側の範囲のみに粘着性を持たせることが好ましい。印刷マージン上のエリアには印刷できないため印刷マージンに対応するベースシートの周縁マージンには印刷対象となる名刺やタグなどの定型紙を配しないこととするので周縁マージンには粘着性が必要ない一方、粘着性が存在する状態のままではその粘着性ゆえインクジェットプリンターの搬送機構の中で引っ付いたり張り付いたりして不具合を起こす可能性があるので粘着性を持たせないこととしたものである。
【００１０】
上記目的を達成するため、本考案のインクジェットプリンター用印刷治具は、一方の面が粘着性を持ち、前記粘着性を持つ面にインクジェットプリンターによる印刷対象となる印刷対象紙を貼り付けて保持せしめるベースシートに対して、前記印刷対象紙を所定位置に貼り付けるインクジェットプリンター用印刷治具であって、前記印刷対象紙の厚さよりも十分に大きい高さを持ち、前記ベースシートを沿わせることにより前記ベースシートを正しい姿勢に整えるベースシートガイドと、前記印刷対象紙の厚さと略同一の大きさの厚さを持ち、前記ベースシートガイドに接続され、前記ベースシートを前記ベースシートガイドに沿わせた場合に前記ベースシートの少なくとも一つの長辺と一つの短辺の周縁に相当する範囲を覆い、前記周縁が前記インクジェットプリンターの印刷マージンと同一幅またはそれより大きい幅とした印刷対象紙ガイドとを基板上に設けたものである。
【００１１】
上記構成により、名刺やタグなどの定型紙を印刷対象紙ガイドに沿わせてマトリックス状に並べて行くことができ、名刺やタグなどの定型紙を並べること自体は簡単にできる。さらに、印刷対象紙ガイドの幅がインクジェットプリンターの印刷マージンと同じ幅またはそれより大きい幅となっているので、上面から見たときのベースシートガイドと印刷対象紙ガイドの距離が印刷マージンと等しいまたはそれより大きいものなっており、ベースシートをベースシートガイドに沿わせた場合には、上面から見たときに、マトリックス状に並べられている印刷対象紙がベースシートに対して印刷マージンよりも内側に位置する関係となっている。
粘着性のある面を下にし、ベースシートをベースシートガイドに沿わせて上方から印刷対象紙に重ねるとベースシートの粘着性のある面にマトリックス状に並んだ印刷対象紙が所定位置（印刷マージンの内側の位置）に貼り付けられることとなる。
【００１２】
このようなインクジェットプリンター用印刷治具を用いることにより、手早くかつ低コストで本考案のインクジェットプリンター用印刷支援シートを製作することができる。
【００１３】
なお、上記構成においても同様に、ベースシートの周縁マージンには粘着性を持たせず、周縁マージンの内側の範囲のみに粘着性を持たせることが好ましい。印刷マージン上のエリアには印刷できないため印刷マージンに対応するベースシートの周縁マージンには印刷対象となる名刺やタグなどの定型紙を配しないこととするので周縁マージンには粘着性が必要ない一方、粘着性が存在する状態のままではその粘着性ゆえインクジェットプリンターの搬送機構の中で引っ付いたり張り付いたりして不具合を起こす可能性があるからである。
【考案の効果】
【００１４】
本考案のインクジェットプリンター用印刷支援シートによれば、名刺やタグなどの定型紙をそのまま使用して複数枚をインクジェットプリンターにより一度に印刷することができ、印刷後の名刺やタグなどの定型紙の周辺がフラットで美しくかつ印刷時間を短縮せしめることが可能となる。
また、インクジェットプリンター用印刷治具を用いることにより、手早くかつ低コストで本考案のインクジェットプリンター用印刷支援シートを製作することができる。
【考案を実施するための最良の形態】
【００１５】
以下、本考案を実施するための最良の形態について実施例により具体的に説明する。なお、本考案はこれらの実施例に限定されるものではない。
【実施例１】
【００１６】
本考案のインクジェットプリンター用印刷支援シートの構成例を説明する。以下はインクジェットプリンター用印刷支援シートの一例を取り上げたものであり、印刷対象紙として名刺用紙を例に挙げるが、本考案のインクジェットプリンター用印刷支援シートとして多様なサイズ、多様な形状への適用が可能である。
【００１７】
図１は、本考案のインクジェットプリンター用印刷支援シート１００の構造の概要を模式的に示した図である。
本考案のインクジェットプリンター用印刷支援シート１００は、ベースシート１０とベースシート上に貼り付けられる印刷対象紙２０により構成され、インクジェットプリンター（図示せず）に搬送して印刷対象となる印刷対象紙２０にプリントせしめるものである。
【００１８】
ベースシート１０の素材は限定されないが、インクジェットプリンター内に搬送できる素材、例えば、紙、プラスチックフィルム、布など可撓性がある素材が好ましい。
ベースシート１０は、その一方の面において貼付物が着脱自在程度の粘着性を持っている。貼付物が着脱自在程度の粘着性とは、一部の文房具の付箋用の貼り付け紙などに見られるように、貼付物を簡単に仮付けできる程度の粘着性であり、剥がすときも簡単に剥がれる程度の粘着性である。この粘着性を持つ面に印刷対象紙を貼り付けて保持せしめる。
【００１９】
印刷対象紙２０はインクジェットプリンターの印刷対象となる用紙であるが、名刺やタグなどの定型紙となっている。この例では名刺印刷用の用紙である。この例では対応するインクジェットプリンターは家庭用に普及しているインクジェットプリンターとし、例えば印刷マージンは上下左右とも“１０”ｍｍであるとする。例えば、印刷対象をＡ４の普通紙とした場合、Ａ４の普通紙の周縁１０ｍｍが印刷マージンとなる。
【００２０】
ベースシート１０には、その周縁に対してインクジェットプリンターの印刷マージンに相当する幅（この例では１０ｍｍ）が周縁マージン１１として設定されている。本考案のインクジェットプリンター用印刷支援シート１００ではインクジェットプリンターはベースシート１０を通常印刷する用紙（例えばＡ４の普通紙）に見立てて印刷するので、ベースシート１０の周縁１０ｍｍが印刷マージンに相当する。つまり、ここでは、インクジェットプリンターの印刷マージンに相当する幅を周縁マージン１１とする。
【００２１】
図１に示すように、印刷対象紙２０を周縁マージン１１にかからないようにベースシート１０に対して複数枚並べて貼り付ける。
ここで、ベースシート１０の周縁マージン１１には粘着性を持たせず、周縁マージン１１の内側の範囲１２のみに粘着性を持たせることが好ましい。なぜならば、印刷マージン上のエリアには印刷できないため印刷マージンに対応するベースシートの周縁マージン１１には印刷対象紙１０を配しないこととするので周縁マージン１１には粘着性が必要ない一方、周縁マージン１１に粘着性が存在するとその粘着性ゆえインクジェットプリンターの搬送機構の中で引っ付いたり張り付いたりして不具合を起こす可能性があるからである。
【００２２】
次に、図２に、図１に示したインクジェットプリンター用印刷支援シート１００を用いて印刷対象紙２０に印刷する様子を示す。インクジェットプリンター用印刷支援シート１００はそのままインクジェットプリンター（図示せず）の搬送機構に投入する。インクジェットプリンターはパーソナルコンピュータ（図示せず）から受け取ったデータを展開し、プリンタヘッドの駆動を制御し、ベースシート１０をあたかも少し厚手の普通紙のように搬送しつつ印刷を行なう。各印刷対象紙２０上に所定の印刷ができる。この例では各印刷対象紙２０上に名刺として必要な印刷が施される。
印刷後は各々の印刷対象紙２０をベースシート１０から簡単に剥がすことができ、必要な印刷が施された印刷対象紙２０を得ることができる。
【実施例２】
【００２３】
本考案のインクジェットプリンター用印刷治具の構成例を説明する。実施例１と同様、インクジェットプリンター用印刷治具の一例を取り上げたものであり、印刷対象紙として名刺用紙を例に挙げるが、多様なサイズ、多様な形状への適用が可能である。
【００２４】
図３は、本考案のインクジェットプリンター用印刷治具２００の構造の概要を模式的に示した図である。
インクジェットプリンター用印刷治具２００は、実施例１で述べた、複数枚の既成の定型紙をベースシート１００上に並べた、インクジェットプリンター用印刷支援シート１００を効率的に製作するための治具である。つまり、一方の面において貼付物が着脱自在程度の粘着性を持ち、粘着性を持つ面にインクジェットプリンターによる印刷対象となる印刷対象紙を貼り付けて保持せしめるベースシートに対して、印刷対象紙を所定位置に貼り付ける治具である。
インクジェットプリンター用印刷治具２００は、ベースシートガイド２１０、印刷対象紙ガイド２２０、印刷対象紙展開部２３１を備えた基板２３０を備えている。
【００２５】
ベースシートガイド２１０は、印刷対象紙２０の厚さよりも十分に大きい高さを持ち、ベースシート１０を沿わせることによりベースシート１０を正しい姿勢に整えるものである。ベースシートガイド２１０にベースシート１０を沿わせる様子は後述する。
【００２６】
印刷対象紙ガイド２２０は、印刷対象紙２０の厚さと略同一の大きさの厚さを持ち、ベースシートガイド２１０に隣接して設けられており、ベースシート１０をベースシートガイド２１０に沿わせた場合にベースシート１０の少なくとも一つの長辺と一つの短辺の周縁に相当する範囲を覆う位置に設けられている。印刷対象紙ガイド２２０に印刷対象紙２０を沿わせつつマトリックス状に並べてゆく様子は後述する。
印刷対象紙ガイド２２０の幅は、インクジェットプリンターの印刷マージンと同一幅またはそれより大きい幅となっている。後述するように印刷対象紙２０を対象紙ガイド２２０に沿わせてマトリックス状に並べてゆくため、マトリックス状に並べられた印刷対象紙２０の外周縁とベースシートガイド２１０の間には、印刷対象紙ガイド２２０の幅分の距離が生じることとなる。
【００２７】
基板２３０は全体の基板であり、ベースシートガイド２１０と印刷対象紙ガイド２２０が設けられ、印刷対象紙ガイド２２０が設けられた内側のエリアが印刷対象紙展開部２３１となっている。
【００２８】
図４から図８は、図３に示したインクジェットプリンター用印刷治具２００を用いて、複数枚の既成の印刷対象紙２０（ここでは名刺用紙）を並べ、ベースシート１０に貼り付け、インクジェットプリンター用印刷支援シートを製作する手順を示す図である。
【００２９】
まず、図４から図５に示すように、印刷対象紙２０を印刷対象紙ガイド２２０に沿わせつつ基板上２３０においてマトリックス状に並べてゆく。名刺用紙などの印刷対象紙２０はエッジが綺麗に裁断されており、印刷対象紙ガイド２２０も略同一の高さであるが、印刷対象紙ガイド２２０のエッジも印刷対象紙２０のエッジも直線状で綺麗に合致するので無理なく沿い合うため、印刷対象紙２０を印刷対象紙ガイド２２０に沿わせつつ容易に基板２３０上に並べて行くことができる。なお、印刷対象紙２０をマトリックス状に並べてゆくため、印刷対象紙２０のエッジ同士を沿わせる必要があるが、印刷対象紙２０のエッジが綺麗に裁断されている限り、印刷対象紙２０のエッジ同士を沿わせることは容易である。印刷対象紙２０は印刷対象紙展開部２３１上において容易にかつ整然とマトリックス状に並べることができる。
ここで、図５に示すように、マトリックス状に並べられた印刷対象紙２０の外周縁とベースシートガイド２１０の間には、印刷対象紙ガイド２２０の幅分の距離が生じている。
【００３０】
次に、図６から図７に示すように、ベースシート１０をその粘着性のある面を下にしてベースシートガイド２１０に沿わせつつ上方から載せ置き、上から押圧する。ベースシート１０は印刷対象紙展開部２３１上においてマトリックス状に展開されている印刷対象紙２０上に直接載せ置かれて圧着することとなり、粘着性により印刷対象紙２０がベースシート１０に貼り付けられる。ここで印刷対象紙ガイド２２０の存在によりベースシート１０の周縁部分には印刷対象紙２０が貼り付けられることはない。
なお、印刷対象紙ガイド２２０と印刷対象紙２０は略同じ厚さとなるように工夫されており、両者はフラットな平面を形成するので、ベースシート１０を載せ置く際には障害とならずベースシート１０をきちんと載せおくことができる。
【００３１】
図８は、ベースシート１０をインクジェットプリンター用印刷治具２００から取り出した様子を示す図である。ベースシート１０をインクジェットプリンター用印刷治具２００から取り出し、粘着性を持つ面を上に向けると印刷対象紙２０がマトリックス状に並んで貼り付けられているものが得られている。つまり、マトリックス状に並んだ印刷対象紙２０があたかもインクジェットプリンター用印刷治具２００からベースシート１０の粘着性を持つ面に転写されたように移動する。
【００３２】
なお、この実施例２の構成例においても、実施例１で述べたように、ベースシート１０の周縁マージン１１には粘着性を持たせず、周縁マージン１１の内側の範囲１２のみに粘着性を持たせる構成は好ましい。図６に示すようにベースシート１０の周縁マージン１１は印刷対象紙ガイド２２０に位置し、両者が接しており、図８に示したように、ベースシート１０をインクジェットプリンター用印刷治具２００から取り出す際、両者が上下に分離するが、もし、ベースシート１０の周縁マージン１１に粘着性があるとベースシート１０をインクジェットプリンター用印刷治具２００から取り出す際、ベースシート１０の周縁マージン１１と印刷対象紙ガイド２２０とが貼り付いてしまい、ベースシート１０を上に取り出す際に剥がさなければならないところ、周縁マージン１１には粘着性を持たせない構成であれば、図８に示すようにベースシート１０をインクジェットプリンター用印刷治具２００から取り出す際、滑らかに取り出すことができる。
【００３３】
実施例２に示したようにインクジェットプリンター用印刷治具により製作したインクジェットプリンター用印刷支援シート１００を用いて印刷対象紙２０に印刷する様子は実施例１と同様である。また、印刷後は各々の印刷対象紙２０をベースシート１０から簡単に剥がすことができ、必要な印刷が施された印刷対象紙２０を得ることができる。
【００３４】
以上、本考案のインクジェットプリンター用印刷支援シートおよびインクジェットプリンター用印刷治具における好ましい実施形態を図示して説明してきたが、本考案の技術的範囲を逸脱することなく種々の変更が可能であることは理解されるであろう。
【産業上の利用可能性】
【００３５】
本考案は、印刷対象紙を複数まとめてインクジェットプリンターによりプリントせしめるインクジェットプリンター用印刷支援シートに適用することができる。また、印刷対象紙を複数まとめてインクジェットプリンターによりプリントせしめるインクジェットプリンター用印刷支援シートを製作するインクジェットプリンター用印刷治具に関する。印刷対象紙には多様なものが含まれるが、例えば、名刺やタグなどの定型紙であり、インクジェットプリンターに印刷に適した用紙が挙げられる。
【図面の簡単な説明】
【００３６】
【図１】本考案のインクジェットプリンター用印刷支援シート１００の構造の概要を模式的に示した図
【図２】インクジェットプリンター用印刷支援シート１００を用いて印刷対象紙２０に印刷する様子を示す図
【図３】本考案のインクジェットプリンター用印刷治具２００の構造の概要を模式的に示した図
【図４】印刷対象紙２０を印刷対象紙ガイド２２０に沿わせつつ基板上２３０においてマトリックス状に並べる様子を示す図（その１）
【図５】印刷対象紙２０を印刷対象紙ガイド２２０に沿わせつつ基板上２３０においてマトリックス状に並べる様子を示す図（その２）
【図６】ベースシート１０をその粘着性のある面を下にしてベースシートガイド２１０に沿わせつつ上方から載せ置く様子を示す図（その１）
【図７】ベースシート１０をその粘着性のある面を下にしてベースシートガイド２１０に沿わせつつ上方から載せ置く様子を示す図（その２）
【図８】ベースシート１０をインクジェットプリンター用印刷治具２００から取り出した様子を示す図
【符号の説明】
【００３７】
１０  ベースシート
１１  周縁マージン
１２  周縁マージンの内側の範囲
２０  印刷対象紙
１００  インクジェットプリンター用印刷シート
２００  インクジェットプリンター用印刷治具
２１０  ベースシートガイド
２２０  印刷対象紙ガイド
２３０  基板
２３１  印刷対象紙展開部
【図１】
0003128034.tif 000003
【図２】
0003128034.tif 000004
【図３】
0003128034.tif 000005
【図４】
0003128034.tif 000006
【図５】
0003128034.tif 000007
【図６】
0003128034.tif 000008
【図７】
0003128034.tif 000009
【図８】
0003128034.tif 000010